(57)【要約】  【課題】  発熱部品を冷却するための低温空気を電動送風機より必要十分な量だけ、従来の部品構成のままで得ることができる電気掃除機を提供する。  【解決手段】  掃除機本体１０は電動送風機５０を内蔵し、正面に吸込口１１を備える。吸込口１１から電動送風機５０に到る風路には前段集塵部２０と後段集塵部４０が設けられている。電動送風機５０のファンケーシング部５１の外周部には、ファンから吐出される空気の一部を外部に逃がす通気口５７が形成され、ファンケーシング部５１を囲む防振体５３の内周部には、通気口５７から吐出された空気を集めるガイド溝５８が形成されている。ガイド溝５８の下端には掃除機本体１０内の発熱部品収納部１６に連通する連通口５９が形成されている。【選択図】      図１
2006239224.tif 000002
【特許請求の範囲】
【請求項１】
吸引力を発生すべく掃除機本体内部に配置された電動送風機のファンケーシング部外周部に、ファンケーシング部内のファンから吐出される空気の一部を外部に逃がす通気口を形成するとともに、前記ファンケーシング部を囲む防振体の内周部に、前記通気口から吐出された空気を所定位置まで誘導するガイド溝を形成したことを特徴とする電気掃除機。
【請求項２】
前記ガイド溝に誘導された空気が、制御基板冷却に用いられることを特徴とする請求項１に記載の電気掃除機。
【請求項３】
前記ガイド溝に誘導された空気が、コードリール冷却に用いられることを特徴とする請求項１に記載の電気掃除機。
【発明の詳細な説明】
【技術分野】
【０００１】
本発明は電気掃除機に関する。
【背景技術】
【０００２】
電気掃除機は、吸引力を発生させるための電動送風機を本体内に備えている。強力な吸引力を発生するため、電動送風機は大量の空気を吸い込み、吐出する。電動送風機から吐出され空気は、最終的には本体外に排出されるのであるが、その前に本体内の発熱部品、例えばサイリスタやコードリールの冷却に役立てられる。しかしながら電動送風機から吐出される空気は、大電力を消費する電動送風機のモータ部分を冷却してから吐出されるものであるため高温になっており、部品冷却に適するとは必ずしも言えない。
【０００３】
特許文献１に記載された電気掃除機では、次のようにして上記の問題に対処している。すなわち電動送風機の電動部を通過する前の低温空気をファン部から取り出し、差込管とチューブで構成される流入路を介して発熱部品収納部に流入させている。あるいは、電動送風機の排気風の少なくとも一部をベンチュリ管に通し、ベンチュリ効果で外部から吸引された低温の空気と混合し温度を低下させたうえで発熱部品収納部に流入させている。
【特許文献１】特開平５−１１１４４８号公報（第２頁−第４頁、図１−図４）
【発明の開示】
【発明が解決しようとする課題】
【０００４】
特許文献１に記載された電気掃除機は、発熱部品収納部に流入する空気が高温でないことは確かであるが、空気が通るのが差込管とチューブにより構成される細い流入路であったり、狭い喉部を備えたベンチュリ管であったりして、十分な風量の冷却気流を確保することが困難である。また従来の電気掃除機になかった部品の追加が必要になる。本発明はこの点に鑑みなされたものであり、発熱部品を冷却するための低温空気を電動送風機より必要十分な量だけ、従来の部品構成のままで得ることができる電気掃除機を提供することを目的とする。
【課題を解決するための手段】
【０００５】
（１）上記目的を達成するために本発明は、吸引力を発生すべく掃除機本体内部に配置された電動送風機のファンケーシング部外周部に、ファンケーシング部内のファンから吐出される空気の一部を外部に逃がす通気口を形成するとともに、前記ファンケーシング部を囲む防振体の内周部に、前記通気口から吐出された空気を所定位置まで誘導するガイド溝を形成したことを特徴としている。
【０００６】
この構成によると、ファンケーシング部の通気口より、ファンから吐出されたばかりでまだモータ部を通っていない低温空気の一部を取り出し、この空気を既存の部品である防振体の内周部に形成したガイド溝を通じて所定位置まで誘導するものであるから、発熱部品を冷却するための低温空気流を簡単に得ることができる。また、通気口の位置と合計面積、ガイド溝の断面積などを適切に設定することにより、低温空気の流量を発熱部品の冷却に必要十分なものとすることができる。しかも、この構成は従来存在する部品のみで実現でき、新規部品の追加を必要としないので、コストアップを招くこともない。
【０００７】
（２）また本発明は、上記構成の電気掃除機において、前記ガイド溝に誘導された気流が、制御基板冷却に用いられることを特徴としている。
【０００８】
この構成によると、電動送風機のモータ部を通る前の低温空気により、制御基板を効果的に冷却することができる。
【０００９】
（３）また本発明は、上記構成の電気掃除機において、前記ガイド溝に誘導された気流が、コードリール冷却に用いられることを特徴としている。
【００１０】
この構成によると、電動送風機のモータ部を通る前の低温空気により、コードリールを効果的に冷却することができる。
【発明の効果】
【００１１】
本発明によると、ファンケーシング部に形成した通気口より、ファンから吐出されたばかりでまだモータ部を通っていない低温空気の一部を取り出し、この空気を、電動送風機を防振支持する防振体の内周部に形成したガイド溝を通じて所定位置まで誘導することにより、発熱部品の冷却に必要十分な低温空気流を取り出すことができる。またこの構成に新規部品の追加は必要でなく、コスト安に実現可能である。
【発明を実施するための最良の形態】
【００１２】
以下本発明の一実施形態を図１−図５に基づき説明する。図１は電気掃除機本体の断面図、図２は電動送風機の側面図、図３は図２のＡ−Ａ断面図、図４は防振体部分の断面図である。
【００１３】
掃除機本体１０は電動送風機５０を内蔵し、正面側に吸込口１１を有する。吸込口１１には図示しないサクションホースの一端が接続される。吸込口１１から電動送風機５０に到る風路の中には前段集塵部２０と後段集塵部４０が配置される。前段集塵部２０はサイクロン方式で粗塵を捕捉するものであり、後段集塵部４０はフィルターで細塵を捕捉するものである。この他電気掃除機本体１０には、前車輪１２及び後車輪１３と、全体を持ち上げるためのハンドル１４が設けられている。
【００１４】
前段集塵部２０は、掃除機本体１０の外殻の一部をなす上蓋部２１と、上蓋部２１の下面に着脱可能に取り付けられるダストカップ２２を備える。上蓋部２１はハンドル２３を備え、このハンドル２３を握って引き上げることにより、前段集塵部２０全体を掃除機本体１０から抜き出すことができる。ダストカップ２２は二つの開口部を有する。その一は前方に向けて突出する流入口２４であり、その二は上面開口２５である。
【００１５】
前段集塵部２０が掃除機本体１０に押し込まれると、吸込口１１に設けられたガスケット２６に流入口２４の前端が押し当てられ、吸込口１１と流入口２４は気密に連通する。なお流入口２４は、そこから吹き出される空気流がダストカップ２２の内部に高速旋回気流を形成する位置と角度に設定されている。
【００１６】
ダストカップ２２の上面開口２５には中蓋２７が嵌合する。中蓋２６の周囲に取り付けられたガスケット２８は、中蓋２７とダストカップ２２とを気密に接合するものであると同時に、ダストカップ２２と上蓋部２１の間の気密を保持する役割も果たす。
【００１７】
中蓋２７の中心には開口部２９があり、ここに排気筒３０が取り付けられる。排気筒３０は下面が閉じ、上面が開口となった円筒形の籠状部材であって、中蓋２７から垂下する形になっている。排気筒３０の外周面にはナイロン等の合成繊維で織った細かいメッシュのフィルター３１が貼着される。排気筒３０の下面には笠状のフード３２が取り付けられている。フード３２の下面にはスタビライザー３３が一体成型される。スタビライザー３３は４枚の翼片を放射状に組み合わせ、水平断面を十字形としたものであり、その下端はダストカップ２２の底部まで届く。
【００１８】
上蓋部２１には、排気筒３の内部と後段集塵部４０との連通を図るための空気通路３４が設けられている。空気通路３４は、前段集塵部２０を掃除機本体１０に押し込むことにより後段集塵部４０の入口に気密に接合し、前段集塵部２０を掃除機本体１０から抜き取ることにより、後段集塵部４０から切り離されるものである。
【００１９】
後段集塵部４０は、ケーシング４１の内部にフィルター４２を内蔵している。フィルター４２はＨＥＰＡ（High Efficiency Particulate Air）フィルターに多数のプリーツを折り込んだものである。ケーシング４１は前後に開口部を有し、前面の開口部には前述の通り前段集塵部２０の空気通路３４が気密に接合する。後面の開口部にはベルマウス形状をした空気ガイド４３が気密に接合する。空気ガイド４３の後端は電動送風機５０に気密に接合する。
【００２０】
電動送風機５０はファンケーシング部５１とモータ部５２を備え、掃除機本体１０の内部にリブ状の隔壁により構成された電動送風機室１５に、軸線を水平にして配置される。電動送風機５０を駆動したときの騒音と振動を抑制するため、電動送風機５０は２個の防振体を介在させる形で隔壁に支持されている。２個の防振体とは、ファンケーシング部５１を囲むリング状の防振体５３と、モータ部５３の端に突き出した軸受部に嵌合するキャップ状の防振体５４である。防振体５３、５４は発泡させたゴムからなる。
【００２１】
ファンケーシング部５１は内部に遠心ファン５５（図３参照）を収容するものであり、前面には吸込口５６（図４参照）が形成されている。吸込口５６には前述の空気ガイド４３が接合される。
【００２２】
電動送風機室１５より下は発熱部品収納部１６となる。ここには掃除機本体１０の制御基板６０が配置される。また発熱部品収納部１６及び後段集塵部４０よりも下にはコードリール室１７が設けられ、ここにコードリール７０が収容されている。
【００２３】
この実施形態の電気掃除機は次のようにして使用する。掃除機本体１０の吸込口１１にサクションホースや吸込口体など吸塵作業に必要なツールを接続し、コードリール７０から引き出したコードを電源コンセントに接続し、電動送風機５０を駆動すると、吸込口１１から流入口２４を経てダストカップ２２の中に塵埃を含んだ空気が流入する。流入した空気はダストカップ２２の中で高速旋回し、空気に含まれる塵埃は遠心力でダストカップ２２の内周壁の方へ押しやられる。
【００２４】
旋回気流は下降し、フード３２の外側を通ってダストカップ２２の中を下方に進む。気流が旋回を続けるうちに塵埃はますます遠心分離される。下降する旋回気流はダストカップ２２の底面に近づくと上昇に転じる。
【００２５】
旋回中、気流がスタビライザー３３に衝突すると気流は方向転換し、その際さらに塵埃が分離される。遠心力で、又はスタビライザー３３に衝突して気流から分離した塵埃はダストカップ２２の底面の側壁に近い側に落ち、集積して行く。
【００２６】
ダストカップ２２の底面近くで上昇に転じた旋回気流は下降旋回気流の内側を通って上昇する。上昇旋回気流はフード３２の縁を越してから次第に旋回半径を縮小しつつ排気筒３０に接近し、最終的には排気筒３０の内部に吸い込まれる。
【００２７】
排気筒３０に吸い込まれた空気は空気通路３４を抜けて後段集塵部４０に吸い込まれる。空気中に残留していた塵埃はフィルター４２により捕捉される。フィルター４２を通過した空気は空気ガイド４３を経由して電動送風機５０に吸い込まれ、掃除機本体１０に設けられた図示しない排気口より機外に排出される。
【００２８】
図２に見られるように、ファンケーシング部５１に吸い込まれた空気はモータ部５２を通ってモータを冷却した後、電動送風機５０の後端より吐出される。電動送風機５０の後端から吐出される空気はモータの熱で高温になっており、制御基板６０やコードリール７０のような発熱部品の冷却に適するとは言い難い。そこで本発明では、遠心ファン５５から吐出されたばかりでまだモータ部５２を通っていない低温空気の一部を取り出し、発熱部品の冷却に供するものとする。
【００２９】
上記目的を達成するため、まず、ファンケーシング部５１の外周部に、遠心ファン５５から吐出される空気の一部を外部に逃がす通気口５７を形成する。通気口５７は円周上に一列に並ぶ形で複数個形成される。そして防振体５３の内周部には、通気口５７から吐出される空気を集める環状のガイド溝５８を形成する。ガイド溝５８は、下端に設けられた連通口５９を介して発熱部品収納部１６に連通している。コードリール室１７を形成する隔壁にも所々に連通口１８が形成されており、この連通口１８よりコードリール室１７に冷却空気が流れ込むようになっている。
【００３０】
電動送風機５０を駆動すると、図３に見られるように、ファンブレードによって運動エネルギーを与えられた空気が遠心ファン５５の外周部から吐出される。吐出される空気の大部分はモータ部５２に入り、モータを冷却して排気されるが、一部分は通気口５７を抜けてファンケーシング部５１の外に吐出され。ファンケーシング部５１から吐出された空気は図４に見られるように防振体５３のガイド溝５８を伝わって連通口５９に達し、そこから発熱部品収納部１６に吐出される。発熱部品収納部１６に流入した空気は制御基板６０を冷却し、また連通口１８よりコードリール室１７に流入してコードリール７０を冷却する。
【００３１】
このように、ファンケーシング部５１の通気口５７より、遠心ファン５５から吐出されたばかりでまだモータ部５２を通っていない低温空気の一部を取り出し、この低温空気を防振体５３の内周部に形成したガイド溝５８を通じて発熱部品収納部１６に誘導するものであるから、発熱部品を冷却するための低温空気流を簡単に得ることができる。そして通気口５７の位置と合計面積、ガイド溝５８の断面積などを適切に設定することにより、低温空気の流量を制御基板６０やコードリール７０などの発熱部品の冷却に必要十分なものとすることができる。また、既存の部品であるファンケーシング部５１と防振体５３に手を加えるのみで、新規部品の追加を必要としないので、コストアップを招くこともない。
【００３２】
以上、本発明の実施形態につき説明したが、本発明の範囲はこれに限定されるものではなく、発明の主旨を逸脱しない範囲で種々の変更を加えて実施することができる。
【産業上の利用可能性】
【００３３】
本発明は電気掃除機の発熱部品冷却に広く利用可能である。
【図面の簡単な説明】
【００３４】
【図１】掃除機本体の断面図
【図２】電動送風機の側面図
【図３】図２のＡ−Ａ断面図
【図４】防振体部分の断面図
【符号の説明】
【００３５】
１０  掃除機本体
１１  吸込口
１５  電動機室
１６  発熱部品収納部
１７  コードリール室
１８  連通口
２０  前段集塵部
４０  後段集塵部
５０  電動送風機
５１  ファンケーシング部
５２  モータ部
５３、５４  防振体
５５  遠心ファン
５６  吸込口
５７  通気口
５８  ガイド溝
５９  通気口
６０  制御基板
７０  コードリール
【図１】
2006239224.tif 000003
【図２】
2006239224.tif 000004
【図３】
2006239224.tif 000005
【図４】
2006239224.tif 000006